(57)【特許請求の範囲】
【請求項１】
柄に固定された１枚または２枚のノコ板保持部材兼ストッパーと、前記柄と分離された片歯または両歯のノコ板を有し、前記ノコ板は、前記ノコ板の両端付近において前記ノコ板保持部材兼ストッパーに固定部材により緩め可能に固定され、該固定部材を緩めることにより前記ノコ板保持部材兼ストッパーの両側において前記ノコ板保持部材兼ストッパーと直行する方向の全幅にわたって移動可能であって、該ノコ板の少なくとも一方の歯は前記ノコ板保持部材兼ストッパーと平行を維持しながら任意の位置に設定可能であることを特徴とする手持ち式胴付きノコギリ。
【請求項２】
前記ノコ板保護部材兼ストッパーが、その両端以外で、前記ノコ板との間に、直角切り治具と嵌合可能な隙間を有する、請求項１に記載の手持ち式胴付きノコギリ。
【発明の詳細な説明】
【発明の属する技術分野】
【０００１】
本発明は手持ちノコギリを使って木などを切るとき、切り込み深さを容易に規制する手段に関するものである。
【従来の技術】
【０００２】
従来手持ちノコギリでほぞなど切るときに、正確に途中まで切って止める、所謂止め切りをするには、予め向う側と手前に引かれたけびき線を交互に見ながら、注意深く切り進んで行かねばならないが、図１に示す如く切り過ぎて失敗することが多く、失敗すると修正できない場合が多かった。やむなく工場加工のときは専用の電動工作機が使われた。また止め切り用ノコギリとして存在する先行技術はいくつかあるが、例えば実願昭５４−９６７２４号（実開昭５６−１４００１号）のごとく、全てノコ身と柄が一体的に固定され、これに対して胴（ストッパー）が横方向に移動するものである。
【発明が解決しようとする課題】
【０００３】
手持ちノコギリで容易に、正確に、且つ失敗することなく、決められた位置、即ち所定の深さで木などの表面と平行な位置まで、切り込められる手段を提供することを目的としている。
【０００４】
本発明はさらに直角、垂直切り治具と嵌合可能な手持ちノコギリを提供することを目的としている。
【課題を解決するための手段】
【０００５】
上記目的を達成するために、本発明の手持ち式胴付きノコギリにおいては、一枚または二枚のノコ板保持部材兼ストッパーを柄に固定し、前記柄と分離された片歯または両歯のノコ板をその両端付近で、上記ノコ板保持部材兼ストッパーに、固定部材により緩め可能に固定し、該固定部材を緩めると、上記ノコ板は上記ノコ板保持部材兼ストッパーの両側で前記ノコ板保持部材兼ストッパーと直行する方向の全幅に渡って移動可能であって、該ノコ板の少なくとも一方の歯は前記ノコ板兼ストッパーと平行を維持しながら任意の位置に設定可能であるようにしたものである。
また公知の直角切り治具と嵌合可能ならしめるために、前記ノコ板保持部材兼ストッパーは両端以外で、上記ノコ板との間に隙間を有するようにしたものである。
【０００６】
上記のように任意の位置にストッパーを設定できるので、木を切り進んで行ったとき希望のところまで切り進むとストッパーが木に当りそれ以上切り進めなくなる。
【０００７】
【実施例】
図２は本発明のノコギリによって木を切るときの全体像である。以下いくつかの実施例について図面を参照して説明すると、図３、図４に示す第一の実施例では、柄８に埋め込まれた２枚の長い鉄板でできたストッパー２でノコ板１を挟み、図示のように蝶ボルト４と、ナット５によって、ノコ板１とストッパー２は固定される。このときストッパーの当り面６と歯先７との間隔は木を切るときの切り込み深さに等しく、且つ平行になるように調整固定される。２枚の長い鉄板でできたストッパーはノコ板１の保持と、切り込み深さを調整固定するストッパーの二つの役をする。薄いノコ板で作る一種の胴付きノコギリにも応用できる。
【０００８】
図５に示す直角、垂直切り治具９は公知である。木１０の端面にあてがい、隙間１１にノコ板を入れ、木１０を切ると容易に直角、垂直に切ることができる。このとき第２の実施例として本発明を利用するには、図７、図８に示すように柄８Ａに埋め込まれたストッパー２Ａは一枚で、且つ途中が図のようにコの字型に折り曲げられている。片歯のノコ板１Ａにはその両端近く二つの長孔が開けられていて、図８に示すように蝶ボルト４とナット５で歯先７Ａから任意の位置で固定される。この形の実施例で公知の直角、垂直切り治具９が利用できる。
【発明の効果】
【０００９】
本発明は、以上説明したように構成されているので、以下に記載されるような効果を奏する。
【００１０】
所定の深さまで切る止め切りをするには、従来細心の注意を払って切るがそ
れでももし失敗したときは修正できなかったが、本発明により、容易に、正確に、且つ失敗することなく切ることができる。
【００１１】
従来胴付きのこぎりは薄いノコ板を使うので、屈曲し易く、これを防ぐためにやむなく背金をつけていた。本発明では長い鉄板によって背金の作用とストッパーの作用の二つの作用を持たせることができた。
【００１２】
ノコギリには縦曳き歯と、横曳き歯をノコ板の両側に付けた両歯ノコギリがあるが、本発明は両歯のこぎりにも実施できる。特に胴付きノコギリでは背金が必要なため、両歯ノコギリができなかったが、本発明により両歯の胴付きノコギリが製作可能になったので、ほぞや、組手の工作に便利である。
【００１３】
最近大半のノコギリは替え刃式であるが、本発明は替え刃式ノコギリとして実施でき、両歯の替え刃式ノコギリも製作できる。
【００１４】
公知の直角、垂直切り治具と併用すれば、希望の深さの直角、垂直切りが容易にでき、ほぞの加工などにきわめて便利である。
【００１５】
ノコ板にストッパーを取付るとノコギリの曲げ強度が強くなり、薄い材料のノコギリを作ることができる。
【図面の簡単な説明】
【図１】従来のノコギリでほぞを切ったときの、切り込み過ぎ失敗例を示す図である。
【図２】本発明の手段によって木を切るときの全体像である。
【図３】本発明の第一の実施例の側面図を示す図である。
【図４】【図３】の実施例の蝶ボルト部の断面図を示す図である。
【図５】公知の直角、垂直切り治具９を木にあてがった状態を示す図である。
【図６】治具９を使って本発明の第二の実施例を利用している全体像である。
【図７】本発明の第二の実施例示す図である。
【図８】【図７】の実施例の蝶ボルト部の断面を示す図である。
【符号の説明】
１、１Ａ，                        ノコ板
２、２Ａ                            ストッパー
３、                                    長穴
４，                                    蝶ボルト
５                                        ナット
６、                                    当り面
７                                        歯先
８、８Ａ，                        柄
９，                                    公知の直角、垂直切り治具
１０、                                    木
１１                                        治具９のノコ板を入れる隙間
【図１】
0003552599.tif 000002
【図２】
0003552599.tif 000003
【図３】
0003552599.tif 000004
【図４】
0003552599.tif 000005
【図５】
0003552599.tif 000006
【図６】
0003552599.tif 000007
【図７】
0003552599.tif 000008
【図８】
0003552599.tif 000009